【手続補正書】
【提出日】平成19年7月26日(2007.7.26)
【手続補正１】
【補正対象書類名】明細書
【補正対象項目名】特許請求の範囲
【補正方法】変更
【補正の内容】
【特許請求の範囲】
【請求項１】
ネットワークを介してホストコンピュータと接続され、画像形成装置と当該画像形成装置の画像形成を制御する画像形成制御装置とを含む画像形成システムであって、
前記画像形成制御装置に、
前記ホストコンピュータから前記ネットワークを介して送信された印刷情報を入力する入力手段と、
前記入力手段により入力された印刷画像を前記画像形成装置に出力し、当該印刷情報を前記ホストコンピュータにおいて指示されたサイズの画像形成媒体に画像形成させる制御手段と、
複数のサイズそれぞれに対応付けて代替サイズを設定する設定手段と、を備え、
前記制御手段は、前記ホストコンピュータにおいて指示されたサイズの画像形成媒体への画像形成が不可能な場合に、前記設定手段により当該指示されたサイズに対応付けて設定された代替サイズの画像形成媒体に、前記印刷情報を画像形成するよう制御することを特徴とする画像形成システム。
【請求項２】
前記設定手段は、前記ホストコンピュータにおいて指示されたサイズの画像形成媒体への画像形成が不可能な場合に、当該指示されたサイズにかかわらず、当該指示されたサイズとは異なる他のサイズの画像形成媒体に画像形成しないよう設定可能であることを特徴とする請求項１記載の画像形成システム。
【請求項３】
前記設定手段は、前記複数のサイズのうち所定のサイズについて、前記ホストコンピュータにおいて当該所定のサイズが指示され、且つ当該所定のサイズの画像形成媒体への画像形成が不可能な場合に、当該所定のサイズとは異なる他のサイズの画像形成媒体に画像形成しないよう設定可能であることを特徴とする請求項１記載の画像形成システム。
【請求項４】
前記設定手段は、前記複数のサイズのうち所定のサイズについて、前記ホストコンピュータにおいて当該所定のサイズが指示され、且つ当該所定のサイズの画像形成媒体への画像形成が不可能な場合に、当該所定のサイズとは異なる他のいずれのサイズの画像形成媒体に画像形成することを許可するよう設定可能であることを特徴とする請求項１記載の画像形成システム。
【請求項５】
前記設定手段は、前記複数のサイズのうち所定のサイズについて、当該所定のサイズに対応する代替サイズとして複数のサイズを設定可能であることを特徴とする請求項１記載の画像形成システム。
【請求項６】
前記ホストコンピュータにおいて指示されたサイズの画像形成媒体への画像形成が不可能な場合とは、当該指示されたサイズの画像形成媒体が前記画像形成装置にセットされていない場合であることを特徴とする請求項１記載の画像形成システム。
【請求項７】
ネットワークを介してホストコンピュータと接続され、画像形成装置と当該画像形成装置の画像形成を制御する画像形成制御装置とを含む画像形成システムの画像形成方法であって、
前記画像形成制御装置に、
前記ホストコンピュータから前記ネットワークを介して送信された印刷情報を入力手段によって入力させる入力ステップと、
前記入力ステップにより入力された印刷画像を前記画像形成装置に出力し、当該印刷情報を前記ホストコンピュータにおいて指示されたサイズの画像形成媒体に制御手段によって画像形成させる制御ステップと、
複数のサイズそれぞれに対応付けて代替サイズを設定手段によって設定させる設定ステップと、を実行し、
前記制御ステップは、前記ホストコンピュータにおいて指示されたサイズの画像形成媒体への画像形成が不可能な場合に、前記設定手段により当該指示されたサイズに対応付けて設定された代替サイズの画像形成媒体に、前記印刷情報を画像形成するよう制御することを特徴とする画像形成方法。
【請求項８】
前記設定ステップは、前記ホストコンピュータにおいて指示されたサイズの画像形成媒体への画像形成が不可能な場合に、当該指示されたサイズにかかわらず、当該指示されたサイズとは異なる他のサイズの画像形成媒体に画像形成しないよう設定可能であることを特徴とする請求項７記載の画像形成方法。
【請求項９】
前記設定ステップは、前記複数のサイズのうち所定のサイズについて、前記ホストコンピュータにおいて当該所定のサイズが指示され、且つ当該所定のサイズの画像形成媒体への画像形成が不可能な場合に、当該所定のサイズとは異なる他のサイズの画像形成媒体に画像形成しないよう設定可能であることを特徴とする請求項７記載の画像形成方法。
【請求項１０】
前記設定ステップは、前記複数のサイズのうち所定のサイズについて、前記ホストコンピュータにおいて当該所定のサイズが指示され、且つ当該所定のサイズの画像形成媒体への画像形成が不可能な場合に、当該所定のサイズとは異なる他のいずれのサイズの画像形成媒体に画像形成することを許可するよう設定可能であることを特徴とする請求項７記載の画像形成方法。
【請求項１１】
前記設定ステップは、前記複数のサイズのうち所定のサイズについて、当該所定のサイズに対応する代替サイズとして複数のサイズを設定可能であることを特徴とする請求項７記載の画像形成方法。
【請求項１２】
前記ホストコンピュータにおいて指示されたサイズの画像形成媒体への画像形成が不可能な場合とは、当該指示されたサイズの画像形成媒体が前記画像形成装置にセットされていない場合であることを特徴とする請求項７記載の画像形成方法。
【請求項１３】
請求項７乃至１２のいずれか１項に記載の画像形成方法をコンピュータに実行させるためのプログラム。
【請求項１４】
請求項７乃至１２のいずれか１項に記載の画像形成方法をコンピュータに実行させるためのプログラムを記憶したコンピュータ読み取り可能な記憶媒体。
【手続補正２】
【補正対象書類名】明細書
【補正対象項目名】０００６
【補正方法】変更
【補正の内容】
【０００６】
【課題を解決するための手段】
本発明は、例えば、ネットワークを介してホストコンピュータと接続され、画像形成装置と当該画像形成装置の画像形成を制御する画像形成制御装置とを含む画像形成システムとして実現できる。画像形成システムは、前記画像形成制御装置に、前記ホストコンピュータから前記ネットワークを介して送信された印刷情報を入力する入力手段と、前記入力手段により入力された印刷画像を前記画像形成装置に出力し、当該印刷情報を前記ホストコンピュータにおいて指示されたサイズの画像形成媒体に画像形成させる制御手段と、複数のサイズそれぞれに対応付けて代替サイズを設定する設定手段と、を備え、前記制御手段は、前記ホストコンピュータにおいて指示されたサイズの画像形成媒体への画像形成が不可能な場合に、前記設定手段により当該指示されたサイズに対応付けて設定された代替サイズの画像形成媒体に、前記印刷情報を画像形成するよう制御することを特徴とする。
【手続補正３】
【補正対象書類名】明細書
【補正対象項目名】０００７
【補正方法】変更
【補正の内容】
【０００７】
また、本発明は、例えば、ネットワークを介してホストコンピュータと接続され、画像形成装置と当該画像形成装置の画像形成を制御する画像形成制御装置とを含む画像形成システムの画像形成方法として実現できる。画像形成方法は、前記画像形成制御装置に、前記ホストコンピュータから前記ネットワークを介して送信された印刷情報を入力手段によって入力させる入力ステップと、前記入力ステップにより入力された印刷画像を前記画像形成装置に出力し、当該印刷情報を前記ホストコンピュータにおいて指示されたサイズの画像形成媒体に制御手段によって画像形成させる制御ステップと、複数のサイズそれぞれに対応付けて代替サイズを設定手段によって設定させる設定ステップと、を実行し、前記制御ステップは、前記ホストコンピュータにおいて指示されたサイズの画像形成媒体への画像形成が不可能な場合に、前記設定手段により当該指示されたサイズに対応付けて設定された代替サイズの画像形成媒体に、前記印刷情報を画像形成するよう制御することを特徴とする。
【手続補正４】
【補正対象書類名】明細書
【補正対象項目名】０００８
【補正方法】変更
【補正の内容】
【０００８】
また、本発明は、例えば、上記画像形成方法をコンピュータに実行させるためのプログラムとして実現できる。
【手続補正５】
【補正対象書類名】明細書
【補正対象項目名】０００９
【補正方法】変更
【補正の内容】
【０００９】
また、本発明は、例えば、上記画像形成方法をコンピュータに実行させるためのプログラムを記憶したコンピュータ読み取り可能な記憶媒体として実現できる。